(57)【特許請求の範囲】
【請求項１】
Ｒ(Red)、Ｇ(Green)、またはＢ(Blue)の映像信号を並列化することで得られる映像信号である第１の信号と第２の信号を、表示装置を構成する第１の画素と第２の画素に出力することにより、前記第１の画素と前記第２の画素に同時に映像を表示させる表示制御装置において、
前記第１の信号と前記第２の信号の振幅成分の差分を検出する第１の検出手段と、
前記第１の検出手段により検出された振幅成分の前記差分に対応して前記第１の信号の振幅成分を補正する第１の補正手段と、
前記第１の信号と前記第２の信号の直流成分の差分を検出する第２の検出手段と、
前記第２の検出手段により検出された直流成分の前記差分に対応して前記第１の信号の直流成分を補正する第２の補正手段と、
前記第１の補正手段により振幅成分が補正され、前記第２の補正手段により直流成分が補正された前記第１の信号を前記第１の画素に出力する第１の信号出力手段と、
前記第２の信号を前記第２の画素に出力する第２の信号出力手段と
を備え、
前記第１の検出手段は、
前記第１の信号と前記第２の信号を比較する第１の比較手段と、
その比較結果の極性が、前記第１の比較手段の比較結果の極性に対して反転するように、前記第１の信号と前記第２の信号とを比較する第２の比較手段と、
前記第１の比較手段の比較結果と前記第２の比較手段の比較結果を合成することにより前記第１の信号と前記第２の信号の振幅成分の差分を生成する生成手段と、
前記生成手段により生成された振幅成分の前記差分を前記第１の補正手段に出力する出力手段と
を備える
ことを特徴とする表示制御装置。
【請求項２】
Ｒ、Ｇ、またはＢの映像信号を並列化することで得られる映像信号である第１の信号と第２の信号を、表示装置を構成する第１の画素と第２の画素に出力することにより、前記第１の画素と前記第２の画素に同時に映像を表示させる表示制御装置において、
前記第１の信号と前記第２の信号の振幅成分の差分を検出する第１の検出手段と、
前記第１の検出手段により検出された振幅成分の前記差分に対応して前記第１の信号の振幅成分を補正する第１の補正手段と、
前記第１の信号と前記第２の信号の直流成分の差分を検出する第２の検出手段と、
前記第２の検出手段により検出された直流成分の前記差分に対応して前記第１の信号の直流成分を補正する第２の補正手段と、
前記第１の補正手段により振幅成分が補正され、前記第２の補正手段により直流成分が補正された前記第１の信号を前記第１の画素に出力する第１の信号出力手段と、
前記第２の信号を前記第２の画素に出力する第２の信号出力手段と
を備え、
前記第２の検出手段は、
前記第１の信号と前記第２の信号を比較する第１の比較手段と、
その比較結果の極性が、前記第１の比較手段の比較結果の極性と同一となるように、前記第１の信号と前記第２の信号とを比較する第２の比較手段と、
前記第１の比較手段の比較結果と前記第２の比較手段の比較結果を合成することにより前記第１の信号と前記第２の信号の直流成分の差分を生成する生成手段と、
前記生成手段により生成された直流成分の前記差分を前記第２の補正手段に出力する出力手段と
を備える
ことを特徴とする表示制御装置。
【請求項３】
前記Ｒ、Ｇ、またはＢの映像信号の並列化では、前記Ｒ、Ｇ、またはＢの映像信号が同一の周波数であって位相の異なるクロック信号によりそれぞれサンプリングされることで前記第１の信号と前記第２の信号が得られる
ことを特徴とする請求項１または２に記載の表示制御装置。
【請求項４】
前記第１の検出手段と前記第２の検出手段は、前記Ｒ、Ｇ、またはＢの映像信号の映像期間の直前に挿入されている黒レベル期間の前記第１の信号と前記第２の信号の振幅成分の前記差分と直流成分の前記差分をそれぞれ検出する
ことを特徴とする請求項１または２に記載の表示制御装置。
【請求項５】
前記表示装置をさらに備える
ことを特徴とする請求項１または２に記載の表示制御装置。
【請求項６】
Ｒ、Ｇ、またはＢの映像信号を並列化することで得られる映像信号である第１の信号と第２の信号を、表示装置を構成する第１の画素と第２の画素に出力することにより、前記第１の画素と前記第２の画素に同時に映像を表示させる表示制御方法において、
前記第１の信号と前記第２の信号の振幅成分の差分を検出する第１の検出ステップと、
前記第１の検出ステップで検出された振幅成分の前記差分に対応して前記第１の信号の振幅成分を補正する第１の補正ステップと、
前記第１の信号と前記第２の信号の直流成分の差分を検出する第２の検出ステップと、
前記第２の検出ステップで検出された直流成分の前記差分に対応して前記第１の信号の直流成分を補正する第２の補正ステップと、
前記第１の補正ステップで振幅成分が補正され、前記第２の補正ステップで直流成分が補正された前記第１の信号を前記第１の画素に出力する第１の信号出力ステップと、
前記第２の信号を前記第２の画素に出力する第２の信号出力ステップと
を含み、
前記第１の検出ステップは、
前記第１の信号と前記第２の信号を比較する第１の比較ステップと、
その比較結果の極性が、前記第１の比較ステップの比較結果の極性に対して反転するように、前記第１の信号と前記第２の信号とを比較する第２の比較ステップと、
前記第１の比較ステップの比較結果と前記第２の比較ステップの比較結果を合成することにより前記第１の信号と前記第２の信号の振幅成分の差分を生成する生成ステップと、
前記生成ステップにより生成された振幅成分の前記差分を出力する出力ステップと
を含む
ことを特徴とする表示制御方法。
【請求項７】
Ｒ、Ｇ、またはＢの映像信号を並列化することで得られる映像信号である第１の信号と第２の信号を、表示装置を構成する第１の画素と第２の画素に出力することにより、前記第１の画素と前記第２の画素に同時に映像を表示させる表示制御方法において、
前記第１の信号と前記第２の信号の振幅成分の差分を検出する第１の検出ステップと、
前記第１の検出ステップで検出された振幅成分の前記差分に対応して前記第１の信号の振幅成分を補正する第１の補正ステップと、
前記第１の信号と前記第２の信号の直流成分の差分を検出する第２の検出ステップと、
前記第２の検出ステップで検出された直流成分の前記差分に対応して前記第１の信号の直流成分を補正する第２の補正ステップと、
前記第１の補正ステップで振幅成分が補正され、前記第２の補正ステップで直流成分が補正された前記第１の信号を前記第１の画素に出力する第１の信号出力ステップと、
前記第２の信号を前記第２の画素に出力する第２の信号出力ステップと
を含み、
前記第２の検出ステップは、
前記第１の信号と前記第２の信号を比較する第１の比較ステップと、
その比較結果の極性が、前記第１の比較ステップの比較結果の極性と同一となるように、前記第１の信号と前記第２の信号とを比較する第２の比較ステップと、
前記第１の比較ステップの比較結果と前記第２の比較ステップの比較結果を合成することにより前記第１の信号と前記第２の信号の直流成分の差分を生成する生成ステップと、
前記生成ステップにより生成された直流成分の前記差分を出力する出力ステップと
を含む
ことを特徴とする表示制御方法。
【発明の詳細な説明】
【０００１】
【発明の属する技術分野】
本発明は、表示制御装置および表示制御方法に関し、特に、並列化された複数の映像信号が入力され、所定の処理を施した後、LCDに出力する表示制御装置および表示制御方法に関する。
【０００２】
【従来の技術】
LCD（Liquid Crystal Display）を駆動する方法として、LCDの水平走査方向の複数のドットを同時にサンプリングして表示する方法（複数ドット同時サンプリング法）が知られている。図９は、複数ドット同時サンプリング法に基づいた、従来のLCD駆動装置の構成例を示す図である。
【０００３】
この図において、サンプリングアンドホールド回路（以下、Ｓ／Ｈ回路と略記する）１，２は、入力された映像信号を、同一の周期であって位相の異なるクロック信号に応じてサンプリングし、所定の時間だけホールド（保持）するようになされている。コントロールアンプ３，４は、Ｓ／Ｈ回路１，２から出力された信号の直流オフセット成分と振幅が所定のレベルとなるように調節する。即ち、直流オフセット成分を調節する場合は、バイアス調節抵抗（BIAS）７−１，７−２を操作し、また、振幅値を調節する場合は、ゲイン調節抵抗（GAIN）８−１，８−２を操作する。
【０００４】
出力アンプ５，６は、コントロールアンプ３，４から出力される信号をLCDを駆動可能な電圧まで増幅するようになされている。出力アンプ５，６からの出力信号は、図示せぬLCDに入力され、これらの信号に応じて、LCDに所定の映像が表示されることになる。
【０００５】
なお、この例では、入力された映像信号が２つの信号（チャンネル）に並列化されるようになされているが、実際には、LCDの種類によって決まるチャンネル数に並列化される。従って、Ｓ／Ｈ回路、コントロールアンプ、出力アンプの数は、チャンネル数に応じて増減されることになる。
【０００６】
次に、この従来例の動作について説明する。Ｓ／Ｈ回路１，２に入力された映像信号は、同一の周期であって異なる位相のクロックに応じてサンプリングされることにより、２チャンネルの信号に並列化される。そして、これらのＳ／Ｈ回路１，２から出力された信号は、コントロールアンプ３，４にそれぞれ入力される。コントロールアンプ３，４では、前述のように、バイアス調節抵抗７−１，７−２により、出力信号の直流オフセット成分が所定のレベルとなるように調節される。また、同様に、ゲイン調節抵抗８−１，８−２により、出力信号の振幅が所定のレベルになるように調節される。
【０００７】
なお、このように、バイアスとゲインを調節するのは、コントロールアンプ３，４から出力される信号間の偏差を補正するためである。即ち、これらの信号の間に直流オフセット成分と振幅の偏差が存在する場合、LCDに表示ムラが生ずるため、そのような事態を防ぐためである。
【０００８】
コントロールアンプ３，４から出力される信号は、出力アンプ５，６にそれぞれ入力され、所定のゲインで増幅された後、図示せぬLCDに供給され、これらの信号に応じた映像が表示されることになる。
【０００９】
【発明が解決しようとする課題】
しかしながら、従来のLCD駆動装置では、バイアス調節抵抗７−１，７−２およびゲイン調節抵抗８−１，８−２をそれぞれ調節しなければならないので、組立作業の工程数が増加するという課題があった。また、チャンネル数が増えればそれに対応してこれらの抵抗の数も増加するため、部品点数が増加するとともに、組立の工程数が更に増加するという課題もあった。
【００１０】
また、各回路を構成する素子の経年変化や、温度による特性の変化により、各チャンネルの信号の間に偏差が生じ、LCDの表示にムラが生ずるという課題もあった。
【００１１】
本発明は以上のような状況に鑑みてなされたものであり、LCD駆動回路の部品点数と調節工程数を減少させるとともに、温度や時間による素子の特性の変化に対して安定な動作で、チャンネル間偏差を低減させるものである。
【００１２】
【課題を解決するための手段】
請求項１に記載の表示制御装置は、第１の信号と第２の信号の振幅成分の差分を検出する第１の検出手段と、第１の検出手段により検出された振幅成分の差分に対応して第１の信号の振幅成分を補正する第１の補正手段と、第１の信号と第２の信号の直流成分の差分を検出する第２の検出手段と、第２の検出手段により検出された直流成分の差分に対応して第１の信号の直流成分を補正する第２の補正手段と、第１の補正手段により振幅成分が補正され、第２の補正手段により直流成分が補正された第１の信号を第１の画素に出力する第１の信号出力手段と、第２の信号を第２の画素に出力する第２の信号出力手段とを備え、第１の検出手段は、第１の信号と第２の信号を比較する第１の比較手段と、その比較結果の極性が、第１の比較手段の比較結果の極性に対して反転するように、第１の信号と第２の信号とを比較する第２の比較手段と、第１の比較手段の比較結果と第２の比較手段の比較結果を合成することにより第１の信号と第２の信号の振幅成分の差分を生成する生成手段と、生成手段により生成された振幅成分の差分を第１の補正手段に出力する出力手段とを備えることを特徴とする。
請求項２に記載の表示制御装置は、第１の信号と第２の信号の振幅成分の差分を検出する第１の検出手段と、第１の検出手段により検出された振幅成分の差分に対応して第１の信号の振幅成分を補正する第１の補正手段と、第１の信号と第２の信号の直流成分の差分を検出する第２の検出手段と、第２の検出手段により検出された直流成分の差分に対応して第１の信号の直流成分を補正する第２の補正手段と、第１の補正手段により振幅成分が補正され、第２の補正手段により直流成分が補正された第１の信号を第１の画素に出力する第１の信号出力手段と、第２の信号を第２の画素に出力する第２の信号出力手段とを備え、第２の検出手段は、第１の信号と第２の信号を比較する第１の比較手段と、その比較結果の極性が、第１の比較手段の比較結果の極性と同一となるように、第１の信号と第２の信号とを比較する第２の比較手段と、第１の比較手段の比較結果と第２の比較手段の比較結果を合成することにより第１の信号と第２の信号の直流成分の差分を生成する生成手段と、生成手段により生成された直流成分の差分を第２の補正手段に出力する出力手段とを備えることを特徴とする。
【００１３】
請求項６に記載の表示制御方法は、第１の信号と第２の信号の振幅成分の差分を検出する第１の検出ステップと、第１の検出ステップで検出された振幅成分の差分に対応して第１の信号の振幅成分を補正する第１の補正ステップと、第１の信号と第２の信号の直流成分の差分を検出する第２の検出ステップと、第２の検出ステップで検出された直流成分の差分に対応して第１の信号の直流成分を補正する第２の補正ステップと、第１の補正ステップで振幅成分が補正され、第２の補正ステップで直流成分が補正された第１の信号を第１の画素に出力する第１の信号出力ステップと、第２の信号を第２の画素に出力する第２の信号出力ステップとを含み、第１の検出ステップは、第１の信号と第２の信号を比較する第１の比較ステップと、その比較結果の極性が、第１の比較ステップの比較結果の極性に対して反転するように、第１の信号と第２の信号とを比較する第２の比較ステップと、第１の比較ステップの比較結果と第２の比較ステップの比較結果を合成することにより第１の信号と第２の信号の振幅成分の差分を生成する生成ステップと、生成ステップにより生成された振幅成分の差分を出力する出力ステップとを含むことを特徴とする。
【００１４】
請求項７に記載の表示制御方法は、第１の信号と第２の信号の振幅成分の差分を検出する第１の検出ステップと、第１の検出ステップで検出された振幅成分の差分に対応して第１の信号の振幅成分を補正する第１の補正ステップと、第１の信号と第２の信号の直流成分の差分を検出する第２の検出ステップと、第２の検出ステップで検出された直流成分の差分に対応して第１の信号の直流成分を補正する第２の補正ステップと、第１の補正ステップで振幅成分が補正され、第２の補正ステップで直流成分が補正された第１の信号を第１の画素に出力する第１の信号出力ステップと、第２の信号を第２の画素に出力する第２の信号出力ステップとを含み、第２の検出ステップは、第１の信号と第２の信号を比較する第１の比較ステップと、その比較結果の極性が、第１の比較ステップの比較結果の極性と同一となるように、第１の信号と第２の信号とを比較する第２の比較ステップと、第１の比較ステップの比較結果と第２の比較ステップの比較結果を合成することにより第１の信号と第２の信号の直流成分の差分を生成する生成ステップと、生成ステップにより生成された直流成分の差分を出力する出力ステップとを含むことを特徴とする。
【００１５】
請求項１に記載の表示制御装置および請求項６に記載の表示制御方法においては、第１の信号と第２の信号の振幅成分の差分が検出され、検出された振幅成分の差分に対応して第１の信号の振幅成分が補正される。また、第１の信号と第２の信号の直流成分の差分が検出され、それに対応して第１の信号の直流成分が補正される。検出された振幅成分の差分に対応して振幅成分が補正され、検出された直流成分の差分に対応して直流成分が補正された第１の信号が第１の画素に出力され、第２の信号が第２の画素に出力される。第１の信号と第２の信号の振幅成分の差分の検出においては、第１の信号と第２の信号を比較する第１の比較と、その比較結果の極性が、第１の比較の比較結果の極性に対して反転するように、第１の信号と第２の信号とを比較する第２の比較が行われ、第１の比較の比較結果と第２の比較の比較結果を合成することにより第１の信号と第２の信号の振幅成分の差分が生成されて出力される。
請求項２に記載の表示制御装置および請求項７に記載の表示制御方法においては、第１の信号と第２の信号の振幅成分の差分が検出され、検出された振幅成分の差分に対応して第１の信号の振幅成分が補正される。また、第１の信号と第２の信号の直流成分の差分が検出され、それに対応して第１の信号の直流成分が補正される。検出された振幅成分の差分に対応して振幅成分が補正され、検出された直流成分の差分に対応して直流成分が補正された第１の信号が第１の画素に出力され、第２の信号が第２の画素に出力される。第１の信号と第２の信号の直流成分の差分の検出においては、第１の信号と第２の信号を比較する第１の比較と、その比較結果の極性が、第１の比較の比較結果の極性と同一となるように、第１の信号と第２の信号とを比較する第２の比較が行われ、第１の比較の比較結果と第２の比較の比較結果を合成することにより第１の信号と第２の信号の直流成分の差分が生成されて出力される。
【００２１】
【発明の実施の形態】
図１は、本発明を適用した表示制御装置の構成例を示すブロック図である。この図において、RGB（Red Green Blue）信号処理部１１は、RGB信号（映像信号）に対してカットオフ調整などの信号処理を行うとともに、Ｒ，Ｇ，Ｂの各映像信号を分離抽出し、それぞれRGBドライバ１２乃至１４に出力するようになされている。また、RGBドライバ１２乃至１４は、RGB信号処理部１１からそれぞれ出力されたＲ，Ｇ，Ｂの各映像信号に対して、クランプ処理、ガンマ処理、およびバイアス調節処理などを行うとともに、信号を３チャンネルに並列化し、LCDパネル１５乃至１７に供給するようになされている。
【００２２】
LCDパネル１５乃至１７は、それぞれＲ，Ｇ，Ｂの専用表示パネルであり、縦、横それぞれ所定の数のドット（画素）から構成されている。また、これらのLCDパネル１５乃至１７は、並列化された信号により、同時に複数のドットを表示するようになされている。なお、以下では、縦方向のドットの並びを列と呼び、また、横方向のドットの並びを行と呼ぶものとする。
【００２３】
タイミング発生器１８は、LCDパネル１５乃至１７において必要なタイミング信号を発生し、LCDパネル１５乃至１７に供給している。
【００２４】
なお、このように複数のドットを同時サンプリングすることにより、LCDパネル１５乃至１７を駆動する各チャンネルの信号の周波数を低減させることができる。その結果、動作速度の遅い能動素子を使用することが可能となるので、その分だけ装置のコストを低減することができる。例えば、複数ドットの同時サンプリングにより、LCDパネル１５乃至１７やタイミング発生器１８に具備されているシフトレジスタのクロック周波数を低減することが可能となるので、クロック発生回路やシフトレジスタを構成する論理素子として、動作速度の遅い素子を使用することが可能となる。
【００２５】
次に、図１の実施例の動作について説明する。RGB信号処理部１１において、カットオフ処理などが施された映像信号は、Ｒ，Ｇ，Ｂそれぞれの映像信号に分離され、RGBドライバ１２乃至１４に供給される。RGBドライバ１２乃至１４は、入力された信号に対して、クランプ処理、ガンマ処理、および、バイアス調節処理などを行うとともに、映像信号を３チャンネルに並列化し、LCDパネル１５乃至１７にそれぞれ供給する。LCDパネル１５乃至１７は、タイミング発生器１８から供給される信号に同期して、RGBドライバ１２乃至１４から出力される信号を映像として表示する。LCDパネル１５乃至１７は、相互に重ね合わされているので、Ｒ，Ｇ，Ｂそれぞれの色で表示された映像が重畳され、元の映像を再生することができる。
【００２６】
図２は、LCDパネル１５乃至１７とその周辺回路の詳細な構成の一例を示すブロック図である。この図において、Ｈ（Horizontal）シフトレジスタ２１は、RGBドライバ１２乃至１４から出力される信号Ｓ１乃至Ｓ３を、LCDパネル１５乃至１７の各行を構成するドットに対して、左から右方向に順次供給するようになされている。即ち、シフトレジスタ２１は、スイッチ（ＳＷ）２３−１乃至２３−ｎを左（図の左）から右（図の右）へ順次オンすることにより、RGBドライバ１２乃至１４から出力される信号Ｓ１乃至Ｓ３を、LCDパネル１５乃至１７の各行を構成するドットに順次供給していく。その結果、LCDパネル１５乃至１７のドットには、左から右方向に３つ（Ｓ１乃至Ｓ３の数に対応している）ずつ映像が表示されていくことになる。
【００２７】
また、Ｖ（Vertical）シフトレジスタ２２は、スイッチ２３−１乃至２３−ｎから出力される信号が供給される行を選択するようになされている。即ち、LCDパネル１５乃至１７の上端から下端に向かって行を順次選択し、スイッチ２３−１乃至２３−ｎからの信号を、Ｈシフトレジスタ２１の制御に応じて、それぞれの行を構成しているドットに供給させる。
【００２８】
つまり、Ｖシフトレジスタ２２は、LCDパネル１５乃至１７の最上端から順に行を選択し、Ｈシフトレジスタ２１は、Ｖシフトレジスタ２２が選択した行の左端から３つずつドットを選択し、選択されたドットに対してＳ１乃至Ｓ３信号を供給する。このような処理を繰り返すことにより、LCDパネル１５乃至１７には、RGB信号処理部１１から供給される映像が表示されることになる。
【００２９】
図３は、RGBドライバ１２乃至１４の詳細な構成の一例を示す図である。なお、RGBドライバ１２乃至１４は、何れも同様の構成とされている。
【００３０】
この図において、ガンマ回路３１は、RGB信号処理部１１から供給される信号に対して、ガンマ処理を行うようになされている。ゲインバイアス回路３２は、ガンマ回路３１から出力された信号を、所定のゲインで増幅するとともに、信号の直流成分の値が所定の値となるように調節する。
【００３１】
Ｓ／Ｈ回路３３乃至３５は、ゲインバイアス回路３２から出力される信号を、同一の周波数であって位相の異なる３相のクロック信号によりそれぞれサンプリングし、所定の期間だけホールドした後、それぞれ乗算器３６、出力回路３９、および乗算器３７に出力する。即ち、ゲインバイアス回路３２から出力される信号は、例えば、Ｓ／Ｈ回路３３、Ｓ／Ｈ回路３４、Ｓ／Ｈ回路３５の順にサンプリングされ、３チャンネルの信号（信号Ｓ１乃至Ｓ３）として出力されることになる。
【００３２】
振幅成分比較回路４１は、出力回路３８より出力される信号Ｓ１の振幅成分と、出力回路３９より出力される信号Ｓ２の振幅成分とを比較し、その差分信号を乗算器３６に出力している。同様に、振幅成分比較回路４２は、出力回路４０より出力される信号Ｓ３の振幅成分と、出力回路３９より出力される信号Ｓ２の振幅成分とを比較し、その差分信号を乗算器３７に出力している。乗算器３６は、Ｓ／Ｈ回路３３より出力される信号Ｓ１に対して、振幅成分比較回路４１より出力される信号を乗ずることにより、信号Ｓ１の振幅成分を補正し、出力回路３８に出力する。乗算器３７は、Ｓ／Ｈ回路３５より出力される信号Ｓ３に対して、振幅成分比較回路４２より出力される信号を乗ずることにより、信号Ｓ３の振幅成分を補正し、出力回路４０に出力している。即ち、信号Ｓ２の振幅成分を基準として、信号Ｓ１と信号Ｓ３の振幅成分が補正されることになる。
【００３３】
直流成分比較回路４３は、出力回路３８より出力される信号Ｓ１と、出力回路３９より出力される信号Ｓ２の直流成分を比較し、その差分を出力回路３８に出力している。出力回路３８は、直流成分比較回路４３より出力される差分に対応して、乗算器３６より出力される信号Ｓ１の直流成分を補正し、出力する。直流成分比較回路４４は、出力回路４０より出力される信号Ｓ３と出力回路３９より出力される信号Ｓ２の直流成分を比較し、その差分を出力回路４０に出力している。出力回路４０は、直流成分比較回路４４より出力される差分に対応して、乗算器３７より出力される信号Ｓ３の直流成分を補正し、出力する。即ち、信号Ｓ２の直流成分を基準として、信号Ｓ１と信号Ｓ３の直流成分が、信号Ｓ２の直流成分と等しくなるように補正されることになる。
【００３４】
図４は、図３の振幅成分比較回路４２、直流成分比較回路４４、および出力回路３９，４０の詳細な構成の一例を示す図である。なお、この図では、信号Ｓ２と信号Ｓ３に関する部分だけが図示されているが、信号Ｓ１に関する部分も基本的には、図４に示されている構成と同様である。また、この図において、図３と対応する部分には、同一の符号が付してあるので、その説明は適宜省略する。
【００３５】
出力回路３９は、演算増幅器５１、抵抗５２，５３、および電圧発生器５４により構成されており、Ｓ／Ｈ回路３４より出力される信号を所定のゲインで増幅し、出力する。
【００３６】
振幅成分比較回路４２は、比較器５５，５６、スイッチ５７，５８、積分器５９、および増幅器６０により構成されている。比較器５５，５６は、信号Ｓ２とＳ３の振幅を比較し、その差分に応じた信号を出力する。比較器５５の非反転入力端子（＋）には、出力回路３９より出力される信号Ｓ２が入力され、反転入力端子（−）には、出力回路４０より出力される信号Ｓ３が入力されている。一方、比較器５６の非反転入力端子には、出力回路４０より出力される信号Ｓ３が入力され、反転入力端子には、出力回路３９より出力された信号Ｓ２が入力されている。即ち、比較器５５と比較器５６の出力の極性は互いに反転関係にある。
【００３７】
スイッチ５７，５８は、所定の期間だけ“Ｈ”の状態となる比較パルス信号により駆動されており、比較パルス信号が“Ｈ”の状態となった場合に接点が閉じられ、これにより、比較器５５と比較器５６の出力が合成され、積分器５９に供給されることになる。積分器５９は、供給された差分信号の振幅差分信号を積分することにより平滑化するとともに一定期間保持し、振幅の差分の信号として増幅器６０に出力するようになされている。増幅器６０は、積分器５９より出力される信号を増幅し、乗算器３７に出力している。即ち、信号Ｓ２と信号Ｓ３の比較信号であって互いに極性が反転関係にある２つの信号を合成することにより、信号Ｓ２と信号Ｓ３の振幅成分の差分が得られることになる。乗算器３７は、Ｓ／Ｈ回路３５から出力される信号Ｓ３と増幅器６０より出力される信号（信号Ｓ２と信号Ｓ３の振幅成分の差分）を乗算し、その結果を出力回路４０の演算増幅器６１の非反転入力端子に出力する。
【００３８】
直流成分比較回路４４は、振幅成分比較回路４２と同様の構成とされており、その説明は適宜省略する。直流成分比較回路４４において、比較器６４の非反転入力端子には、出力回路４０より出力される信号Ｓ３が入力され、反転入力端子には、出力回路３９より出力される信号Ｓ２が入力されている。同様に、比較器６５の非反転入力端子には、出力回路４０より出力される信号Ｓ３が入力され、反転入力端子には、出力回路３９より出力された信号Ｓ２が入力されている。即ち、比較器５５と比較器５６の出力の極性は同一であり、これらの出力は、振幅成分比較回路４２のスイッチ５７，５８と同一のタイミングでスイッチ６６，６７の接点が閉じることにより合成され、信号Ｓ２と信号Ｓ３の直流成分の差分として積分器６８に入力されることになる。直流成分比較回路４４の出力（信号Ｓ２と信号Ｓ３の直流成分の差分信号）は、出力回路４０に供給され、抵抗６３を介して演算増幅器６１の反転入力端子に入力される。
【００３９】
出力回路４０は、演算増幅器６１および抵抗６２，６３より構成されており、乗算器３７より振幅成分が補正された信号Ｓ３を増幅するとともに、直流成分比較回路４４より出力された信号Ｓ２と信号Ｓ３の直流成分の差分に対応して、信号Ｓ３の直流成分を補正して出力するようになされている。
【００４０】
続いて、図４の動作を説明する。なお、以下においては、信号Ｓ２と信号Ｓ３に注目した場合の動作を説明するが、他の信号に対しても同様である。振幅成分比較回路４２において、比較器５５と比較器５６は、信号Ｓ２と信号Ｓ３を比較し、その比較結果を、それぞれスイッチ５７とスイッチ５８に出力する。比較器５５と比較器５６の出力は、それぞれスイッチ５７とスイッチ５８により、所定の期間（後述する）だけ積分器５９に入力される。積分器５９は、供給された信号を積分することにより平滑化するとともに一定期間保持し、増幅器６０に出力する。増幅器６０により増幅された信号は、乗算器３７に出力される。
【００４１】
乗算器３７は、Ｓ／Ｈ回路３５より出力される信号Ｓ３を、振幅成分比較回路４２より出力される信号（信号Ｓ２と信号Ｓ３の振幅成分の差分）に応じて増幅し、出力回路４０の演算増幅器６１に出力する。即ち、例えば、図５（Ａ）に示す基準信号（いまの場合、信号Ｓ２）の振幅（＝ａ）に対して、図５（Ｂ）に示す比較対象信号（いまの場合、信号Ｓ３）の振幅（＝ｋａ）が等しくない（ａ≠ｋａ）場合、これらが等しくなるように補正されることになる（ｋ＝１となるように補正されることになる）。
【００４２】
直流成分比較回路４４において、比較器６４と比較器６５は、信号Ｓ２と信号Ｓ３を比較し、その差分に対応する信号をそれぞれスイッチ５７とスイッチ５８に出力する。比較器５５と比較器５６より出力された信号は、振幅成分比較回路４２におけるスイッチ５７，５８と同一のタイミングで動作するスイッチ６６とスイッチ６７により、直流成分の差分信号として積分器６８に入力される。積分器６８は、供給された信号を積分することにより平滑化するとともに一定期間保持し、増幅器６９に出力する。増幅器６９により増幅された信号は、出力回路４０に供給される。
【００４３】
出力回路４０の演算増幅器６１および抵抗６２，６３は、ゲインを有する減算器である。演算増幅器６１の非反転端子に入力される電圧をＶ1とし、直流成分比較器４４の出力電圧をＶ2とし、また、演算増幅器６１の出力電圧をＶ3とした場合、これらの電圧の間の関係は以下のようになる。なお、Ｒ1，Ｒ2は、それぞれ抵抗６３，６２の抵抗値である。
【００４４】
Ｖ3＝Ｖ1（Ｒ1＋Ｒ2）／Ｒ1−Ｖ2（Ｒ2／Ｒ1）  ・・・（１）
【００４５】
即ち、演算増幅器６１は、乗算器３７より出力された信号を（Ｒ1＋Ｒ2）／Ｒ1倍するとともに、直流成分比較回路４４より出力される信号を（Ｒ2／Ｒ1）倍し、前者から後者の値を減算するようになされている。演算増幅器６１の非反転入力端子に入力される電圧Ｖ1は、振幅成分が補正された信号Ｓ３であり、直流成分比較回路４４の出力電圧Ｖ2は、信号Ｓ２の直流オフセット成分と信号Ｓ３の直流オフセット成分の差分信号であるので、演算増幅器６１は、信号Ｓ３の直流成分が基準信号である信号Ｓ２の直流成分に近づくように制御することになる。
【００４６】
例えば、図５（Ｃ）に示すように、基準電位（図中破線で示す電圧）と信号Ｓ２の中央値が等しくない場合は、ｄ５＝ｄ６となるように制御が行われることになる。その結果、信号Ｓ２の中央値（直流オフセット）は、常に基準電位と等しい状態とされる。
【００４７】
図６は、信号Ｓ１乃至Ｓ３の実際の波形（波形Ｄ）の一例を示している。この図において、実線は、基準信号（いまの場合、信号Ｓ２）の波形を示しており、破線は比較信号（いまの場合、信号Ｓ１または信号Ｓ３）を示している。期間Ｅ，Ｊは、図４に示すスイッチ５７，５８およびスイッチ６６，６７の各接点が閉じた状態とされる。この期間Ｅ，Ｊは、映像信号の映像期間の直前に挿入されている黒レベル期間（非映像領域期間）に対応しており、この黒レベル期間ＥまたはＪにおける信号Ｓ２と信号Ｓ３の電圧が振幅成分比較回路４２と直流成分比較回路４４において比較されることになる。上述したように、振幅成分比較回路４２では、極性が反転関係にある比較器５５と比較器５６の出力が合成されることにより振幅の差分（AC offset：（ｄ７−ｄ８）／２）が得られる。一方、直流成分比較回路４４では、極性が同一関係にある比較器６４と比較器６５の出力が合成されることにより直流オフセットの差分（DC offset：（ｄ７＋ｄ８）／２）が得られる。
【００４８】
以上のように、信号Ｓ１乃至Ｓ３の直流成分に関しては、チャンネル間の偏差を正確に補正することが可能となる。また、振幅に関しては、所定のチャンネル（上述の例では、信号Ｓ２）を基準として、他の信号の振幅のみを制御するようにしたので、出力回路３８乃至４０の動作には影響を与えずに、信号Ｓ１乃至Ｓ３の振幅の偏差を補正することが可能となる。
【００４９】
図７は、図１の表示制御装置の他の構成例を示す図である。なお、この図において、図４と同一の部分には同一の符号が付してあるのでその説明は、適宜省略する。この例においては、乗算器８０、振幅成分比較回路８１、直流成分比較回路８２、および基準信号発生回路８３が新たに付加されている。その他の構成は、図４の場合と同様である。
【００５０】
基準信号発生回路８３は、電圧発生器８４、可変電圧発生器８８、比較器８５、抵抗８６、および抵抗８７により構成されている。基準信号発生回路８３において、可変電圧発生器８８は、正転側の基準黒レベル信号を発生し、電圧発生器８４の電圧で決定される標準電位に対して対称となるように、反転アンプ８５で反転側黒レベル信号を生成するようになされている。基準信号発生回路８３より出力される基準信号は、振幅成分比較回路４２，８４、および直流成分比較回路４４，８２に出力される。そして、振幅成分比較回路４２，８１は、基準信号発生回路８３より出力される基準信号に対応して、それぞれ信号Ｓ２と信号Ｓ３の振幅成分を補正し、直流成分比較回路４４，８２は、それぞれ信号Ｓ３と信号Ｓ２の直流オフセットを補正することになる。
【００５１】
この例では、信号Ｓ２と信号Ｓ３を、基準信号発生回路８３により生成される基準信号に対応して補正するようにしたが、全ての信号に対しても、これを用いて、振幅と直流成分を補正することになる。これにより、信号出力アンプの変動の影響を受けずに全ての信号間での偏差を小さく抑えることができる。また、電圧発生器８８を可変にすることにより、全信号に対して共通にゲインコントロールが可能となる。
【００５２】
図８は、図７に示した表示制御装置の他の構成例を示しており、図７に示した場合と対応する部分には、同一の符号を付してあり、その説明は適宜省略する。この例においては、図７の基準信号発生回路８３に、図に示すように、比較器８９、積分器９０、および抵抗９１，９２がさらに付加されている。この場合、標準電位の基準電圧と、電圧発生器８４により発生される基準黒レベル信号の標準電位を比較器８９で比較し、積分器９０で平滑した後、比較器８５に入力することにより、基準信号の標準電位は、電圧発生器８４で決められる電圧に常に一致する。これにより、経時変化や、環境温度変化などによる出力電圧の変動を、より抑えることが可能となる。
【００５３】
なお、以上の実施の形態において示した回路は、ＩＣ（Integrated Circuit）化が可能である。例えば、モノリシック（Monolithic）ＩＣなどでは、各素子の相対的な精度が非常に高いため、以上の様な回路をＩＣ化することにより、装置のサイズを小型化することができるのみならず、各チャンネル間の偏差を更に小さくすることが可能となる。
【００５４】
また、以上の実施の形態においては、３チャンネルの信号（信号Ｓ１乃至Ｓ３）に対する補正処理について説明したが、本発明は、このような場合のみに限定されるものではないことは勿論である。例えば、２チャンネルまたは４チャンネル以上の場合でも本発明を適用することが可能である。なお、そのような場合においても、複数のチャンネルの信号のうち、所定のチャンネルの信号を基準とし、他の信号の振幅を補正するようにすればよい。また、直流成分に関しては、各出力回路に内蔵される基準電圧発生器が各チャンネルともに等しくなるようにすればよい。
【００５５】
上記各種の処理を行うコンピュータプログラムをユーザに提供する提供媒体としては、磁気ディスク、CD-ROM、固体メモリなどの記録媒体の他、ネットワーク、衛星などの通信媒体を利用することができる。
【００５６】
【発明の効果】
以上の如く、請求項１および２に記載の表示制御装置、並びに請求項６および７に記載の表示制御方法によれば、第１の信号と第２の信号の振幅成分の差分を検出し、検出された振幅成分の差分に対応して第１の信号の振幅成分を補正し、第１の信号と第２の信号の直流成分の差分を検出し、それに対応して第１の信号の直流成分を補正するようにしたので、並列化された映像信号の各チャンネル間の振幅成分と直流成分の補正をより正確に行うことが可能となる。
【図面の簡単な説明】
【図１】本発明を適用したLCD駆動装置の構成の一例を示すブロック図である。
【図２】図１に示すLCDパネル１５乃至１７とその周辺回路の構成の一例を示すブロック図である。
【図３】図１に示すRGBドライバ１２乃至１４の構成の一例を示すブロック図である。
【図４】図３に示す振幅成分比較回路４２、直流成分比較回路４４、および出力回路３９，４０の構成の一例を示すブロック図である。
【図５】図４に示す回路の動作の概要を説明するための図である。
【図６】図３に示す信号Ｓ１乃至Ｓ３の一例を示す図である。
【図７】図３の構成例の他の構成例を示す図である。
【図８】図７の構成例の他の構成例を示す図である。
【図９】従来のLCD駆動装置の一例を示すブロック図である。
【符号の説明】
３３，３４，３５  Ｓ／Ｈ回路，  ３６，３７  乗算器，  ３８，３９，４０出力回路，  ４１，４２  振幅成分比較回路，  ４３，４４  直流成分比較回路，  ５５，５６，６４，６５  比較回路，  ５７，５８，６６，６７  スイッチ，  ５９，６８  積分器，  ６０，６９  増幅器
【図１】
0004038629.tif 000002
【図２】
0004038629.tif 000003
【図３】
0004038629.tif 000004
【図４】
0004038629.tif 000005
【図５】
0004038629.tif 000006
【図６】
0004038629.tif 000007
【図７】
0004038629.tif 000008
【図８】
0004038629.tif 000009
【図９】
0004038629.tif 000010